【手続補正書】
【提出日】平成19年8月31日(2007.8.31)
【手続補正１】
【補正対象書類名】明細書
【補正対象項目名】特許請求の範囲
【補正方法】変更
【補正の内容】
【特許請求の範囲】
【請求項１】  少なくとも第１及び第２のクライアント・ユニット（１１、１２、１３、１４、１５）と接続可能なサーバ・ユニットであって、前記第１及び第２のクライアント・ユニットの両方によって変更可能な状態を有する、配布されたインタラクティブ・アプリケーションを実行させるために、該サーバ・ユニットによって前記第１及び第２のクライアント・ユニット間の通信を可能とするように構成されており、前記サーバ・ユニットが、
−少なくとも前記第１のクライアント・ユニットから、前記アプリケーションの状態についてのアプリケーション状態情報を受信する第１の受信手段（５１、５３）と、
−アプリケーション状態情報を格納する状態情報格納手段と、
−少なくとも前記第１のクライアント・ユニットから、前記第１のクライアント・ユニットに送信されるべきアプリケーション状態情報についての優先度情報を受信する第２の受信手段（５９）と、
−受信した優先度情報を格納する優先度情報格納手段（６１）と、
−前記状態情報格納手段及び前記優先度情報格納手段と協働して、前記優先度情報に応じて、前記第１のクライアント・ユニットにアプリケーション状態情報を送信する第１の送信手段（６３、６５）と、
を備えることを特徴とするサーバ・ユニット。
【請求項２】  少なくとも前記第１のクライアント・ユニットから受信したアプリケーション状態情報及び／又は優先度情報を、少なくとも別のサーバ・ユニットに送信する第２の送信手段（６３、６５）を更に備える
ことを特徴とする請求項１に記載のサーバ・ユニット。
【請求項３】  前記第２の受信手段（５９）によって受信した前記少なくとも１つの第１のクライアント・ユニットからのサブスクリプション情報を格納するサブスクリプション・リストを更に備え、前記サブスクリプション情報が、あるオブジェクトに関連する情報が前記第１のクライアント・ユニットでどのような頻度で受信されるべきかを識別する
ことを特徴とする請求項１に記載のサーバ・ユニット。
【請求項４】  前記少なくとも１つの第１のクライアント・ユニットから前記第２の受信手段によって受信したサブスクリプション情報を格納するサブスクリプション・リストを更に備え、前記サブスクリプション情報が、あるオブジェクトに関連する情報が前記第１のクライアント・ユニットで受信されるべき回数を識別する
ことを特徴とする請求項１から３のいずれか１項に記載のサーバ・ユニット。
【請求項５】  前記第２の受信手段が、クライアント・ノードと呼ばれる少なくとも第３のノードからの前記第１のクライアント・ユニットに関する優先度情報を受信し、前記第３のノードで生じたアプリケーション状態情報を、前記優先度情報に応じて、少なくとも前記第１のクライアント・ユニットに送るか又は送らないように構成されている
ことを特徴とする請求項１から４のいずれか１項に記載のサーバ・ユニット。
【請求項６】  前記状態情報格納手段が、所定の時間間隔の後に格納した状態情報を破棄するように構成されている
ことを特徴とする請求項１から５のいずれか１項に記載のサーバ・ユニット。
【請求項７】  前記状態情報格納手段が、オブジェクトの特性に関してアプリケーション状態情報を格納するように構成されており、前記オブジェクトがアプリケーション状態を構成する
ことを特徴とする請求項１から６のいずれか１項に記載のサーバ・ユニット。
【請求項８】  前記状態情報格納手段が、所与の時点でのオブジェクトの状態を記述する、基準パケットあるいはデータグラムを格納するように構成されている
ことを特徴とする請求項７に記載のサーバ・ユニット。
【請求項９】  前記状態情報格納手段が、以前の特定のパケットからのオブジェクトの状態の変化を記述する増分パケットと、前記以前のパケットを識別する情報とを格納するように構成されている
ことを特徴とする請求項８に記載のサーバ・ユニット。
【請求項１０】  前記少なくとも１つの第１のクライアント・ユニットに対する認可情報を登録する登録手段を更に備え、前記認可情報は、前記第１のノードが変更を認可されたアプリケーション状態オブジェクトを示している
ことを特徴とする請求項１から９のいずれか１項に記載のサーバ・ユニット。
【請求項１１】  アプリケーション・アクセス・サーバ・ユニット（１、３、５）と接続可能なクライアント・ユニットであって、前記アプリケーション・アクセス・サーバ・ユニットが、配布されたインタラクティブ・アプリケーションに適応する配布されたインタラクティブ・クライアント・アプリケーション・ソフトウェアを格納し、実行するように構成されており、前記クライアント・アプリケーション・ソフトウェアと協働する入力手段（１１１、１１３、１１５、１０１）と、アプリケーション状態情報をアプリケーション・アクセス・サーバ・ユニットに送信する送信手段（１０５、１０７）と、アプリケーション状態情報を前記アプリケーション・アクセス・サーバ・ユニットから受信する受信手段（１０５、１０７）と、計算を行う処理ユニット（１０１）と、を備えており、
少なくとも２つのクライアント・ユニットが、同時にアプリケーションの状態に影響を与えかつ寄与することを可能とするために、前記入力手段（１１１、１１３、１１５、１０１）が、前記アプリケーション・アクセス・サーバ・ユニットからの、前記配布されたインタラクティブ・アプリケーションについて少なくともアプリケーション状態情報を入力し、前記処理ユニット（１０１）が、前記アプリケーション・サーバ・ユニットから受信した前記アプリケーション状態情報から、前記アプリケーション・ソフトウェアの第２の状態を計算するように構成されており、前記第２の情報が、前記クライアント・アプリケーション・ソフトウェアの実行に影響を与える
ことを特徴とするクライアント・ユニット。
【請求項１２】  できるだけ早く受信すべき入手可能な情報について、少なくとも１つの他のアプリケーション状態オブジェクトを指定する、優先度情報を設定する優先度設定手段と、前記優先度設定手段からの前記優先度情報を、前記アプリケーション・アクセス・サーバ・ユニットに送信する送信手段と、を更に備える
ことを特徴とする請求項１１に記載のクライアント・ユニット。
【請求項１３】  該クライアント・ユニットからの状態情報をできるだけ早く受信すべき少なくとも１つの他のノードを指定する、優先度データを設定する優先度データ手段を更に備える
ことを特徴とする請求項１１又は１２に記載のクライアント・ユニット。
【請求項１４】  アプリケーション状態情報を送信する前記送信手段が、各々がアプリケーションの一部を構成する１つのオブジェクトに関連している、アプリケーション・オブジェクト・パケットの情報を、該パケットをアプリケーション・アクセス・サーバ・ユニットに送信する前にアレンジするように構成されており、前記受信手段が、アプリケーション・アクセス・サーバ・ユニットから受信したパケットから、アプリケーション・オブジェクトについての情報を抽出するように構成されている
ことを特徴とする請求項１１から１３のいずれか１項に記載のクライアント・ユニット。
【請求項１５】  請求項１から１０のいずれか１項に記載のサーバ・ユニットを少なくとも１つ備える
ことを特徴とする通信ネットワーク。
【請求項１６】  請求項１１から１４のいずれか１項に記載のクライアント・ユニットを少なくとも１つ更に備える
ことを特徴とする請求項１５に記載の通信ネットワーク。
【請求項１７】  少なくとも１つの第２のアプリケーション・アクセス・サーバと、前記第１及び第２のアプリケーション・アクセス・サーバを接続する接続手段とを更に備え、通信リソースが前記接続手段に確保され得る
ことを特徴とする請求項１５又は１６に記載の通信ネットワーク。
【請求項１８】  ネットワーク内にアプリケーション・アクセス・サーバの階層が構築されるような方法で、前記第１のアプリケーション・アクセス・サーバとは通信するが前記第２のアプリケーション・アクセス・サーバとは通信しない、少なくとも１つの第３のアプリケーション・アクセス・サーバを更に備える
ことを特徴とする請求項１５から１７のいずれか１項に記載の通信ネットワーク。
【請求項１９】  少なくとも１つのアプリケーション・アクセス・サーバを制御するように構成されたサイト・マネージャを更に備える
ことを特徴とする請求項１５から１８のいずれか１項に記載の通信ネットワーク。
【請求項２０】  少なくとも１つのアプリケーション・ロビー・サーバと前記少なくとも１つのサイト・マネージャとの間のインタフェースを形成するように構成された、ロビー・アクセス・サーバを更に備える
ことを特徴とする請求項１９に記載の通信ネットワーク。